(57)【要約】【課題】  外部から見て施錠状態か解錠状態かを容易に認識できる施錠構造を提供する。【解決手段】箱体２に対して開閉する蓋体３を箱体２に施錠するための施錠構造１であって、箱体２に設けられた係止部２０と、蓋体３に設けられ、係止部２０により係止される被係止部３０と、箱体２の外部方向及び内部方向に往復動し、第１位置と第１位置より内部方向にある第２位置を有する作用部１２を備えるプッシュ錠１０と、を有し、係止部２０が、作用部１２の動作に伴い動作し、作用部１２が第１位置にあるときは被係止部３０を係止し、作用部１２が第２位置にあるときは被係止部３０の係止を解除するロック部材２１を有し、作用部１２は、第１位置において少なくとも一部が箱体２の外部に出ている。【選択図】図２
0003230782.tif 000002
【実用新案登録請求の範囲】
【請求項１】
箱体に対して開閉する蓋体を前記箱体に施錠するための施錠構造であって、
前記箱体に設けられた係止部と、
前記蓋体に設けられ、前記係止部により係止される被係止部と、
前記箱体の外部方向及び内部方向に往復動し、第１位置と前記第１位置より前記内部方向にある第２位置を有する作用部を備えるプッシュ錠と、を有し、
前記係止部が、前記作用部の動作に伴い動作し、前記作用部が前記第１位置にあるときは前記被係止部を係止し、前記作用部が前記第２位置にあるときは前記被係止部の係止を解除するロック部材を有し、
前記作用部は、前記第１位置において少なくとも一部が前記箱体の外部に出ていることを特徴とする施錠構造。
【請求項２】
前記プッシュ錠に挿抜可能な鍵を有し、
前記プッシュ錠が、前記箱体に固定された固定部を有し、
前記作用部が、前記固定部に往復動可能に支持され、前記第１位置において前記内部方向の力を受けることで前記第２位置に移動して保持され、前記プッシュ錠に挿入された前記鍵が解錠方向へ回ることで保持が解除されて前記第２位置から前記第１位置に移動することを特徴とする、
請求項１に記載の施錠構造。
【請求項３】
前記係止部が、前記ロック部材を回動可能に支持する軸と、前記ロック部材に前記被係止部を係止する係止位置から係止を解除する解除位置に向けた力を付与する弾性体と、を有し、
前記ロック部材が、前記被係止部を係止する係止作用部と、前記作用部が当接する受け部と、を有し、
前記作用部が、前記内部方向の力を受けて前記第１位置から前記第２位置に動作して前記受け部を押動することで前記ロック部材が回動して前記係止作用部が前記被係止部を係止し、
前記鍵が解錠方向へ回り前記作用部が前記第２位置から前記第１位置に移動することで前記ロック部材が前記弾性体の作用により前記係止位置から前記解除位置に回動して前記係止作用部が前記被係止部の係止を解除することを特徴とする、
請求項２に記載の施錠構造。
【考案の詳細な説明】
【技術分野】
【０００１】
本考案は、箱体に対して開閉する蓋体を箱体に施錠するための構造に関する。
【背景技術】
【０００２】
旋回して開閉する扉を箱体に対して施錠するための装置が特許文献１に開示されている。
【先行技術文献】
【特許文献】
【０００３】
【特許文献１】特開２０１０−７３９９号公報
【考案の概要】
【考案が解決しようとする課題】
【０００４】
しかしながら、上記のような従来技術では、固定枠体に設けられたシリンダー錠の鍵穴に鍵を挿入して所定方向に回すと扉は施錠状態となり、施錠状態において所定方向とは逆方向に鍵を回すと扉は解錠状態となるものであり、外部から見て施錠状態か解錠状態かが容易に認識できないとの問題があった。
【０００５】
そこで、本考案は、外部から見て施錠状態か解錠状態かを容易に認識できる施錠構造を提供することを目的とする。
【課題を解決するための手段】
【０００６】
本考案は、上記目的を達成するために以下によって把握される。
（１）本考案の施錠構造は、箱体に対して開閉する蓋体を前記箱体に施錠するための施錠構造であって、前記箱体に設けられた係止部と、前記蓋体に設けられ、前記係止部により係止される被係止部と、前記箱体の外部方向及び内部方向に往復動し、第１位置と前記第１位置より前記内部方向にある第２位置を有する作用部を備えるプッシュ錠と、を有し、前記係止部が、前記作用部の動作に伴い動作し、前記作用部が前記第１位置にあるときは前記被係止部を係止し、前記作用部が前記第２位置にあるときは前記被係止部の係止を解除するロック部材を有し、前記作用部は、前記第１位置において少なくとも一部が前記箱体の外部に出ている。
（２）上記（１）において、前記プッシュ錠に挿抜可能な鍵を有し、前記プッシュ錠が、前記箱体に固定された固定部を有し、前記作用部が、前記固定部に往復動可能に支持され、前記第１位置において前記内部方向の力を受けることで前記第２位置に移動して保持され、前記プッシュ錠に挿入された前記鍵が解錠方向へ回ることで保持が解除されて前記第２位置から前記第１位置に移動する。
（３）上記（２）において、前記係止部が、前記ロック部材を回動可能に支持する軸と、前記ロック部材に前記被係止部を係止する係止位置から係止を解除する解除位置に向けた力を付与する弾性体と、を有し、前記ロック部材が、前記被係止部を係止する係止作用部と、前記作用部が当接する受け部と、を有し、前記作用部が、前記内部方向の力を受けて前記第１位置から前記第２位置に動作して前記受け部を押動することで前記ロック部材が回動して前記係止作用部が前記被係止部を係止し、前記鍵が解錠方向へ回り前記作用部が前記第２位置から前記第１位置に移動することで前記ロック部材が前記弾性体の作用により前記係止位置から前記解除位置に回動して前記係止作用部が前記被係止部の係止を解除する。
【考案の効果】
【０００７】
本考案によれば、外部から見て施錠状態か解錠状態かを容易に認識できる施錠構造を提供することができる。
【図面の簡単な説明】
【０００８】
【図１】本考案の実施形態に係る施錠構造を有する箱体と蓋体の斜視図である。
【図２】本考案の実施形態に係る施錠構造の解錠状態を示す断面図である。
【図３】本考案の実施形態に係る施錠構造の施錠操作を示す断面図である。
【図４】本考案の実施形態に係る施錠構造の施錠状態を示す断面図である。
【図５】本考案の実施形態に係る施錠構造の施錠状態を示す断面図である。
【図６】本考案の実施形態に係る施錠構造の解錠操作を示す断面図である。
【図７】本考案の実施形態に係る施錠構造の解錠操作を示す断面図である。
【考案を実施するための形態】
【０００９】
以下、添付図面を参照しながら各実施形態について詳細に説明する。
なお、実施形態の説明の全体を通して同じ要素には同じ番号又は符号を付している。
【００１０】
図１は、本考案の実施形態に係る施錠構造１を有する箱体２と蓋体３の斜視図である。
図１において、箱体２は、様々な物を保管する保管庫、書類を保管する書類棚などである。蓋体３は、箱体２に対して、例えば蝶番などで固定され、開閉するように設けられており、閉じた状態においてＡ方向に回動して開き、開いた状態でＢ方向に回動して閉じる。蓋体３が箱体２に閉じた状態で本実施形態に係る施錠構造１によって施錠する。図１において、箱体２の前パネル２ａ及び蓋体３に施錠構造１が設けられている。
【００１１】
図１においては、箱体２は、横方向に長い矩形をしており、上面の開口を蓋体３が覆うように設けられており、蓋体３が上下方向に開閉するように構成されている。しかし、これに限定されず、例えば、箱体２の側面に開口があり、蓋体３が水平方向に開閉するように構成されていてもよい。また、箱体２の形状は矩形に限定されず、例えば、多角形や楕円形などであってもよい。
【００１２】
図２は、本考案の実施形態に係る施錠構造１の解錠状態を示す断面図である。
箱体２の前パネル２ａの内側には取付部材１５が設けられており、この取付部材１５にプッシュ錠１０がねじ１７によって固定されている。
【００１３】
プッシュ錠１０について説明する。プッシュ錠１０は、箱体２の前パネル２ａの内側において取付部材１５に固定された固定部１１を有し、作用部１２が固定部１１に往復動可能に支持され、箱体２の外部方向（図２において左方向）及び内部方向（図２において右方向）に往復動する。そして、作用部１２は、第１位置と第１位置より内部方向にある第２位置を有し、第１位置と第２位置の間で往復動する。
【００１４】
プッシュ錠１０において、作用部１２が第１位置にある状態が施錠構造１の解錠状態であり、作用部１２が第２位置にある状態が施錠構造１の施錠状態である。解錠状態において、使用者が作用部１２を第１位置から第２位置に向けて押し込み、作用部１２が内部方向の力を受けることで第２位置に移動して、図示しない保持機構が作用して作用部１２が第２位置において保持され、施錠状態が保持される。
【００１５】
施錠状態で使用者が、図１に示す鍵５が挿抜されるプッシュ錠１０に設けられた鍵穴に鍵５を差し込んで鍵５を解錠方向に回動させると、保持機構による保持が解除されて、プッシュ錠１０に内蔵されたばねの作用により、作用部１２が固定部１１に対して第２位置から第１位置に向けて移動し、第１位置において保持され、解錠状態が保持される。
【００１６】
すなわち、プッシュ錠１０は、第１位置において、使用者が作用部１２を第１位置から第２位置に向けて押し込むことで第２位置において図示しない保持機構によって保持され、鍵５を回動することで保持機構による保持が解除され、内蔵されたばねの力によって第２位置から第１位置に移動して、第１位置で保持される。この往復動により、解錠状態と施錠状態が変わり、その状態がそれぞれ保持される。
【００１７】
図２において、作用部１２は、箱体２に対して外部方向側の第１位置にあり、第１位置において作用部１２の少なくとも一部が箱体２の外部に出ている。これに対して、第２位置は第１位置より内部方向にあるため、作用部１２が箱体２の外部に出ていないか、出ていても、第１位置よりは突出量が少ない。したがって、箱体２の外部から見て、作用部１２が第１位置にあるか、第２位置にあるかが容易に認識できる。すなわち、施錠構造１が施錠状態にあるか、解錠状態にあるかを、外部から見て容易に認識することができる。
【００１８】
係止部２０は、ロック部材２１、軸２２、弾性体２３を有しており、ロック部材２１は、孔２１ｂに軸２２が貫通することで、軸２２によって軸２２の中心を中心にして回動可能に支持されている。また、弾性体２３によって図２において時計回りの方向に向けた力が付与されている。図２において弾性体２３はコイルばねの場合を示しているが、これに限定されず、例えば、板ばねであってもよく、ゴムであってもよい。
【００１９】
蓋体３は、外板３１が外部に向けて設けられており、外板３１と対向するように内板３２が内部に向けて設けられている。内板３２には、被係止部３０が下方に向けてねじ３３によって固定されている。
【００２０】
図２において、プッシュ錠１０の作用部１２の先端部であるデッドボルト１２ａが箱体２の内側において固定部１１に対して少しだけ突出しており、ロック部材２１が弾性体２３によって時計回りの方向に向けた力が付与されていることによって、ロック部材２１の受け部２１ｃがデッドボルト１２ａに当接している。
【００２１】
このとき、ロック部材２１の係止作用部２１ａは、蓋体３に設けられた被係止部３０に対して内部方向に離れた位置にあり、被係止部３０を係止していない解除位置にある。このため、蓋体３は上方（Ａの方向）に開くことができる。すなわち、図２は解錠状態を示している。
【００２２】
図３は、本考案の実施形態に係る施錠構造１の施錠操作を示す断面図である。
図２に示す解錠状態において、使用者が作用部１２の外部に出ている先端を指で押して、第１位置において作用部１２が箱体２の内部方向の力を受けることで、作用部１２は第２位置に向けてＣの方向に移動する。
【００２３】
作用部１２が第１位置から第２位置に移動することにより、作用部１２のデッドボルト１２ａはロック部材２１の受け部２１ｃを押動し、ロック部材２１がＤの方向に回動する。
【００２４】
図４、図５は、本考案の実施形態に係る施錠構造１の施錠状態を示す断面図である。
図４において、作用部１２が第２位置に移動して保持されている。図３において、作用部１２が第１位置から第２位置に移動することにより、作用部１２のデッドボルト１２ａは解除位置にあるロック部材２１の受け部２１ｃを押動することで、ロック部材２１が図３のＤの方向に回動して、図４に示すように、係止作用部２１ａが被係止部３０の被係止受け部３１ａの上部に移動して被係止部３０を係止する係止位置になる。
【００２５】
図４に示す状態で、蓋体３を図５のＡの方向に開くと、被係止部３０の被係止受け部３０ａが係止作用部２１ａに当接し、これ以上開くことができない。すなわち、図４、図５は、施錠状態を示している。
【００２６】
図６、図７は、本考案の実施形態に係る施錠構造１の解錠操作を示す断面図である。
図４、図５に示す施錠状態において、図６に示すように、プッシュ錠１０に挿入された鍵５をＥの方向（解錠方向）へ回すことで、図示しない保持機構による作用部１２の第２位置における保持が解除されて、プッシュ錠１０に内蔵されたばねの力により作用部１２が第２位置から第１位置に移動する。
【００２７】
図７において、作用部１２がＦの方向に移動し、ロック部材２１の受け部２１ｃを施錠位置に保持していたデッドボルト１２ａがＦ方向に移動するのに伴い、ロック部材２１は弾性体２３による力によりＧの方向に回動する。そして、被係止部３０の被係止受け部３０ａを係止していた係止作用部２１ａがＨの方向に回動して係止位置から解除位置になり、被係止部３０の被係止受け部３０ａの係止が解除される。これによって、蓋体３は、Ａの方向に開くことができる。すなわち、図６、図７は、解錠操作を示している。
【００２８】
図４、図５に示す施錠状態において、作用部１２は第２位置にあり、箱体２の外部に出ていないように示されている。これに対して、図７に示す解錠状態において、作用部１２は第１位置にあり、作用部１２の少なくとも一部が、箱体２の外部に出ている。このように、作用部１２の箱体２の外部に出る状態を確認することで、箱体２の外部から見て、施錠構造１が、施錠状態にあるか、解錠状態にあるかを容易に認識することができる。
【００２９】
なお、図４、図５に示す施錠状態において、作用部１２は箱体２の外部に出ていないように示されているが、これに限定されず、作用部１２が箱体２の外部に出るようにしてもよい。このようにしても、施錠状態の第２位置は解錠状態の第１位置より内部方向にあるため、作用部１２の出る量を確認することで、同様に、箱体２の外部から見て、施錠構造１が、施錠状態にあるか、解錠状態にあるかを容易に認識することができる。
【００３０】
以上の説明のとおり、本実施形態によれば、外部から見て施錠状態か解錠状態かを容易に認識できる施錠構造１を提供することができる。
【００３１】
以上、具体的な実施形態に基づいて本考案を説明してきたが、本考案は上記実施形態に限定されるものではなく、適宜、変形や改良を実施しても良い。
【００３２】
このように、本考案は、具体的な実施形態に限定されるものではなく、適宜、変形や改良を施したものも本考案の技術的範囲に含まれるものであり、そのことは、当業者にとって実用新案登録請求の範囲の記載から明らかである。
【符号の説明】
【００３３】
１      施錠構造
２      箱体
２ａ    前パネル
３      蓋体
５      鍵
１０    プッシュ錠
１１    固定部
１２    作用部
１２ａ  デッドボルト
１５    取付部材
１７    ねじ
２０    係止部
２１    ロック部材
２１ａ  係止作用部
２１ｂ  孔
２１ｃ  受け部
２２    軸
２３    弾性体（ばね）
２５    支持部材
３０    被係止部
３０ａ  被係止受け部
３１    外板
３２    内板
３３    ねじ
【図１】
0003230782.tif 000003
【図２】
0003230782.tif 000004
【図３】
0003230782.tif 000005
【図４】
0003230782.tif 000006
【図５】
0003230782.tif 000007
【図６】
0003230782.tif 000008
【図７】
0003230782.tif 000009